(57)【特許請求の範囲】
【請求項１】
排水器具からの排水を貯留できるタンクと、該タンク内の排水を外部に送り出す圧送ポンプ部と、一端が圧送ポンプ部に連通し、他端が圧送ポンプ部より上方で大気開放された圧送管と、前記圧送ポンプ部と前記圧送管を接続する逆止弁部とを備えた圧送排水装置において、
前記逆止弁部は、前記圧送ポンプ部と前記圧送管を連通する連通路と、前記連通路の圧送管側の連通口周囲に設けた弁座と、前記圧送ポンプ部駆動時の圧送された排水により前記連通口の開放方向に移動し、前記圧送ポンプ部停止時の逆流する排水の圧力により前記弁座に当接して前記連通口を閉塞する弁体と、前記弁体を強制的に移動させ逆流を促す強制開口手段と、を備えたことを特徴とする圧送排水装置。
【請求項２】
前記弁体をスイング式とし、前記強制開口手段は、前記弁体の下流側に接続された伝達手段と、前記伝達手段を外部から引っ張り前記連通口を開放させる操作部から成ることを特徴とする請求項１に記載の圧送排水装置。
【請求項３】
前記弁体をスイング式とし、前記強制開口手段は、前記弁座を設けた連通口の口径を調整できる口径調整手段としたことを特徴とする請求項１に記載の圧送排水装置。
【請求項４】
前記逆止弁部は前記連通口より下流を９０度曲げたエルボ型とし、前記弁体は下流側に案内棒を有したリフト式とし、前記エルボ型の逆止弁部は曲り部の壁面に前記案内棒をガイドするガイド部を有し、前記強制開口手段は、前記ガイド部に設けた伸縮構造であることを特徴とする請求項１に記載の圧送排水装置。
【請求項５】
前記強制開口手段は、前記弁体に内蔵された永久磁石と、前記弁座に内蔵され、電通すると前記永久磁石と反発するように配置された電磁石から成ることを特徴とする請求項１に記載の圧送排水装置。
【請求項６】
前記強制開口手段は、前記弁体を押し上げることができる押上シャフトと、前記弁座より上流側の前記逆止弁部に備えられ、前記押上シャフトを脱着できる挿入部とから成ることを特徴とする請求項１に記載の圧送排水装置。
【請求項７】
排水器具からの排水を貯留できるタンクと、該タンク内の排水を外部に送り出す圧送ポンプ部と、一端が圧送ポンプ部に連通し、他端が圧送ポンプ部より上方で大気開放された圧送管と、前記圧送ポンプ部と前記圧送管を接続する逆止弁部とを備えた圧送排水装置において、
前記逆止弁部は、前記圧送ポンプ部と前記圧送管を連通する連通路と、前記連通路の圧送管側の連通口周囲に設けた弁座と、前記圧送ポンプ部駆動時の圧送された排水により前記連通口の開放方向に移動し、前記圧送ポンプ部停止時の逆流する排水の圧力により前記弁座に当接して前記連通口を閉塞する弁体と、一端を前記弁体より下流側の逆止弁部に接続し、他端を前記タンクに接続したバイパス管と、前記バイパス管を開閉できる開閉部を備えたことを特徴とする圧送排水装置。
【発明の詳細な説明】
【０００１】
【発明の属する技術分野】
本発明は、排水器具からの排水をポンプにて圧送し、かつ逆流防止弁を備えた圧送排水装置に関する。
【０００２】
【従来の技術】
圧送排水装置は、貯水槽内に圧送ポンプと水位検知スイッチと粉砕装置を設置し、屎尿および風呂の残り湯、洗濯・洗面などの雑排水を貯留槽に集め、圧送ポンプを作動させ、同時にカッターで屎尿を粉砕し、粉砕された屎尿や排水を圧送管に通して圧送排出する装置である。このような圧送排水装置は、下水管より低い位置に設置された地下室や、排水管の勾配がとれない建物など、強制的に排水させる場所で必要とされている。さらに今後は、排水管の口径を小さくして配管スペースを小さくしたシステムや、排水管にフレキシブル性を持たせ施工性および可変性を向上させたシステムで多用されることが予想される。
【０００３】
一方、圧送排水装置は、モータやカッターを使用するため、従来の重力式排水システムに比べ、どうしても故障が多く発生し、修理や交換が必要となる。さらに用途によっては圧送装置の移動や撤去が従来に比べ頻繁に行われることとなり、タンクや圧送管を取外す作業が多分に発生する。この際重要なこととして衛生的に作業を行うことが挙げられ、特に屎尿や排水を圧送排水装置や排水経路の外部に漏らすことはあってはならない。
【０００４】
ＳＦＡ社製の圧送排水装置ＳＡＮＩ−ＰＡＣＫは、排水を貯留するタンクと、前記タンク内の排水を外部に排出する圧送ポンプ部と、排水を送水する圧送管と、前記圧送ポンプ部と前記圧送管を接続する逆止弁部を備えている。図１０に示すように前記逆止弁部１２０は、圧送ポンプ部１２１を接続する上流接続部１２２と、圧送管１２３を接続する下流接続部１２４と、弁体１２５と、弁体１２５より下流側の排水流路の壁面１２６と仕切られた分岐管１２７を備えている。
上記圧送排水装置の通常動作では、圧送ポンプ部１２１より圧送された排水は、破線のように弁体１２５を押し上げ、圧送管１２３を通過し、その先の下水管等へ流出する。圧送ポンプ部１２１が停止すると、圧送管１２３から逆流する排水によって弁体１２５が閉じ、圧送管１２３内の排水がタンク側へ逆流するのを防ぐ。よって、圧送管１２３内には排水が残留することとなる。
圧送排水装置や圧送管を撤去する際、圧送管に残留する排水を取除く必要がある。その場合は、図１１に示すように、逆止弁部１２０に備えられた分岐管１２７と排水流路を隔てる壁面１２６に針で穴を開け、圧送管１２３内の圧力によって噴き出す排水を別に用意した容器１２８で受け取ることとしている。
【０００５】
【発明が解決しようとする課題】
しかしながら、上記方法では、針を刺して抜いてから排水を容器で受けるため、針を抜いてから容器をセットする間に、周囲に排水が飛び散ってしまい非常に不衛生である。また、別に容器を準備する必要があり手間である。さらに一度針を刺して穴を開けた逆止弁部は、使用不能となり、簡単な修理や点検で圧送管の排水を除去するたびに逆止弁部の交換が必要であり、施工面でもメンテナンスコストの面でも不利である。
本発明は、上記課題を解決するためになされたもので、本発明の目的は、圧送管に残留した排水を衛生的に、かつ容易に除去できる逆止弁を備えた圧送排水装置を提供することにある。
【０００６】
【課題を解決するための手段および作用・効果】
上記目的を達成するために請求項１は、排水器具からの排水を貯留できるタンクと、該タンク内の排水を外部に送り出す圧送ポンプ部と、一端が圧送ポンプに連通し、他端が圧送ポンプ部より上方で大気開放された圧送管と、前記圧送ポンプ部と前記圧送管を接続する逆止弁部とを備えた圧送排水装置において、
前記逆止弁部は、前記圧送ポンプ部と前記圧送管を連通する連通路と、前記連通路の圧送管側の連通口周囲に設けた弁座と、前記圧送ポンプ部駆動時の圧送された排水により前記連通口の開放方向に移動し、前記圧送ポンプ部停止時の逆流する排水の圧力により前記弁座に当接して前記連通口を閉塞する弁体と、前記弁体を強制的に移動させ逆流を促す強制開口手段と、を備えたことを特徴とする。
通常使用時において、排水器具から流水する排水は、タンクに貯留され、さらにタンク内の圧送ポンプによって圧送され、逆止弁の連通路を通過し、弁体を押し上げ、出口が圧送ポンプより上方で大気開放された圧送管に送水され、圧送管より下流の排水経路に流れる。圧送ポンプが停止すると、圧送管内の排水は重力で圧送ポンプ側に逆流しようとするが、弁体はこの排水の圧力によって弁座と当接し、排水が逆流するのを防ぐ。
圧送排水装置の修理や撤去等で圧送管内の排水を除去する際は、逆止弁部に備えられた強制開口手段を操作し、弁体を強制的に開放方向へ移動させ、圧送管内の排水を圧送ポンプ側へ逆流させ、タンク内に貯留させる。
これにより、圧送管内に残留した排水は、圧送排水装置または排水経路以外を通過することなく、タンクに戻るため、外部に飛び散ることが無く衛生的である。また、強制開口手段を操作するだけで良いため簡単である。さらに強制開口手段を元に戻す構造とすると再び逆止弁として使用ができ、コスト面で有利である。
【０００７】
本発明の好ましい態様においては、前記弁体をスイング式とし、前記強制開口手段は、前記弁体の下流側に接続された伝達手段と、前記伝達手段を外部から引っ張り、前記連通口を開放させる操作部から成ることを特徴とする。ここでいう伝達手段とは、例えば紐のような物をさし、張力がかからない時は容易にたわみ、張力をかけた時は伸びが少ないものを指す。
通常使用時において、圧送ポンプ部の稼動で圧送された排水は、スイング式の弁体を押し上げ、スムーズに逆止弁部を通過する。この時、スイング式の弁体は排水の流路を狭めることは無い。圧送ポンプが停止すると、圧送管の排水が逆流しようとするが、スイング式の弁体は直ちに弁座と当接し、連通口を塞ぎ、排水が逆流するのを確実に防ぐ。また、弁体の下流側に接続された伝達手段ほとんど弁体の開閉に関与することは無い。
圧送管内の排水を除去する時は、一端が弁体に接続された伝達手段を操作部によって引っ張り、弁体を開放方向へ移動させる。これにより、圧送管内の残水はタンク内へ流下する。
よって、圧送管の残水を容易に、衛生的に除去することができる。また、何度でも繰返して使用可能であり、コストの面でも有利となる。さらに圧送管の流路を狭めたり、排水流路中に障害や突起が無いため、排水中に含まれる人毛や、汚物中に含まれる繊維質やトイレットペーパーが引っかかり圧送管が詰まることは無い。
【０００８】
本発明の好ましい態様においては、前記弁体をスイング式とし、前記強制開口手段は、前記弁座の連通口の口径を調整できる口径調整手段としたことを特徴とする。
通常使用時は、前記と同様に、スイング式の弁体は、排水流路を狭めることなく開口し、また、圧送管に残水した排水の逆流を確実に防ぐ。
圧送管内の排水を除去する時は、口径調整手段で弁座の口径を広げ、弁体の口径より大きくすと、弁体は圧送管内の残水の圧力によって、上流方向へ開口し、圧送管内に残留した排水が、一気にタンク側に逆流する。
よって、圧送管の残水を容易に、衛生的に除去することができる。また、圧送管の流路を狭めたり、排水流路中に障害や突起が無いため、排水中に含まれる人毛や、汚物中に含まれる繊維質やトイレットペーパーが引っかかり圧送管が詰まることは無い。さらに何度でも使用できる。
【０００９】
本発明の好ましい態様においては、前記逆止弁部は連通口より下流を９０度曲げたエルボ型とし、前記弁体は下流側に案内棒を有したリフト式とし、前記エルボ型の逆止弁部は曲り部の壁面に前記案内棒をガイドするガイド部を有し、前記強制開口手段は、前記ガイド部に設けた伸縮構造であることを特徴とする。
通常使用時において、圧送された排水は、リフト式の弁体を押し上げ、エルボ型逆止弁部を通過して、略直角方向に流れ方向を変え、圧送管へと流れる。リフト式弁体は案内棒を有しており、該案内棒が逆止弁部のガイド部に沿って移動し、圧送流路を狭めることはない。圧送ポンプが停止すると弁体が閉塞方向に移動し、排水の逆流を防止する。
圧送管内の排水を除去する時は、ガイド部の伸縮部を引っ張り、同時に案内棒を通じて弁体を持ち上げ、圧送管内の排水をタンク側に戻すことができる。
よって、圧送管の残水を容易に、衛生的に除去することができる。また、圧送管の流路を狭めたり、排水流路中に障害や突起が無いため、排水中に含まれる人毛や、汚物中に含まれる繊維質やトイレットペーパーが引っかかり圧送管が詰まることは無い。さらに何度でも使用できる。
【００１０】
本発明の好ましい態様においては、前記強制開口手段は、前記弁体に内蔵された永久磁石と、前記弁座に内蔵され、電通すると前記永久磁石と反発するように配置された電磁石から成ることを特徴とする請求項１に記載の圧送排水装置。
通常使用時は、前記と同様に、弁体はスイング式でも、リフト式でも良く、排水をスムーズに通過させ、圧送ポンプが停止すると圧送管内の逆流を防止する。
圧送管内の排水を除去したい時には、弁座に収納された電磁石に電圧をかけ、弁体の永久磁石と反発させて、その力によって弁体が下流側に移動し、圧送管内の排水がタンク側へ逆流する。
よって、圧送管の残水を容易に、衛生的に除去することができる。また、圧送管の流路を狭めたり、排水流路中に障害や突起が無いため、排水中に含まれる人毛や、汚物中に含まれる繊維質やトイレットペーパーが引っかかり圧送管が詰まることは無い。さらに何度でも使用できる。
【００１１】
本発明の好ましい態様においては、前記強制開口手段は、前記弁体を押し上げることができる押上げシャフトと、前記弁座より上流側の前記逆止弁部に備えられ、前記シャフトを脱着できる挿入部とから成ることを特徴とする。
通常使用時は、前記同様弁体は、排水をスムーズに通過させ、圧送管に残留した排水の逆流を防ぐ。
圧送管内の排水を除去したい時には、逆止弁部の上流側の挿入部から押上げシャフトを挿入し、前記シャフトを操作することで弁体を押し上げて圧送管の排水をタンク側へ逆流させる。なお、圧送ポンプ部の停止時において、挿入部には、加圧された排水がないため、押上げシャフトを挿入する際も、挿入部から排水が噴き出すことは無い。
よって、圧送管の残水を容易に、衛生的に除去することができる。また、圧送管の流路を狭めたり、排水流路中に障害や突起が無いため、排水中に含まれる人毛や、汚物中に含まれる繊維質やトイレットペーパーが引っかかり圧送管が詰まることは無い。さらに何度でも使用できる。
【００１２】
排水器具からの排水を貯留できるタンクと、該タンク内の排水を外部に送り出す圧送ポンプ部と、一端が圧送ポンプ部に連通し、他端が圧送ポンプ部より上方で大気開放された圧送管と、前記圧送ポンプ部と前記圧送管を接続する逆止弁部とを備えた圧送排水装置において、
前記逆止弁部は、前記圧送ポンプ部と前記圧送管を連通する連通路と、前記連通路の圧送管側の連通口周囲に設けた弁座と、前記圧送ポンプ部駆動時の圧送された排水により前記連通口の開放方向に移動し、前記圧送ポンプ部停止時の逆流する排水の圧力により前記弁座に当接して前記連通口を閉塞する弁体と、一端を前記弁体より下流側の逆止弁部に接続し、他端を前記タンクに接続したバイパス管と、前記バイパス管を開閉できる開閉部を備えたことを特徴とする圧送排水装置。
通常使用時は、前記同様弁体は、排水をスムーズに通過させ、圧送管に残留した排水の逆流を防ぐ。なお、バイパス管の開閉部は閉じている。
圧送管内の排水を除去したい時には、逆止弁部の下流側に接続したバイパス管の開閉部を開き、圧送管内に残留した排水がバイパス管を通過してタンク内に流れ込む。
よって、圧送管の残水を容易に、衛生的に除去することができる。また、圧送管の流路を狭めたり、排水流路中に障害や突起が無いため、排水中に含まれる人毛や、汚物中に含まれる繊維質やトイレットペーパーが引っかかり圧送管が詰まることは無い。さらに何度でも使用できる。
【００１３】
【発明の実施の形態】
以下図面に沿って発明内容を説明する。
図１に本発明に係る圧送排水装置の一実施例を示す。地中に埋設されたマス１より床面２が低い地下室３には、排水器具である大便器４が設置され、大便器４の後方に圧送排水装置１０が配置されている。圧送排水装置１０は、大便器４からの排水を貯留できるタンク１１と、大便器４と接続できる流入口１２と、タンク１１に内蔵され、溜まった排水を圧送する圧送ポンプ部１３と、タンク１１に溜まった排水の量に応じて圧送ポンプ部１３の稼動を制御する水位スイッチ１９と、大便器４から流入する汚物やペーパーなどの固形物を粉砕する圧送ポンプ部１３の上に配置されたカッター１７と、カッター１７の周囲を覆い粉砕された固形物を濾過する穴が複数開いたスクリーン１８と、タンク１１内の正圧・負圧を逃がす通気部１５と、マス１に一端を開放し、他端が圧送ポンプ部１３に連通した圧送管１６と、圧送管１６と圧送ポンプ部１３を接続できる逆止弁部２０を備えている。
逆止弁部２０は、図２（ａ）およびその断面図（ｂ）に示すように、両端に圧送ポンプ部１３を接続できる上流接続部２２と、圧送管１６を接続できる下流接続部２３と、圧送ポンプ部１３と圧送管１６とを連通する連通路２４と、連通路２４の圧送管側の連通口２５周囲に設けた弁座２６と、弁体固定部２９に嵌合した周動部２７を備えたスイング式の弁体２８と、弁体２８の下流側に接続された伝達手段である紐３１と、紐３１を巻き取るボビン３２と、ボビン３２の回転軸を固定できるボビン収納室３３と、ボビン３２を外部から回転操作できる回転操作部３４で構成される。紐３１は、弁体２８が実線で示すように閉じている状態でややたるむ程度の長さに調整してある。
【００１４】
本実施例に係る圧送排水装置の動作を以下説明する。
通常使用時において、図１の大便器４からの排水は、流入口１２を通って、タンク１１内のスクリーン１８に流れ込む。スクリーン１８の穴径以上の汚物はスクリーン１８内に残留し、穴径以下の汚物と排水はタンク１１の下方に流下する。
排水がタンク１１に流入し、水位が上昇すると、水位スイッチ１９が入り、圧送ポンプ部１３が稼働し、排水を圧送する。同時にカッター１７が回転し、スクリーン１８に残留した汚物は粉砕され、粉砕された汚物は、スクリーン１８の穴を通過し、排水とともに圧送ポンプ部１３によって逆止弁部２０に圧送される。
【００１５】
図２（ｂ）に示すように、逆止弁部２０では、圧送された排水によって、弁体２８は、図の破線で示すように、周動部２７を軸に連通口２５の開放方向に押し上げられる。この時、逆止弁部２０内の排水流路は十分確保され、さらに排水流路に障害物も無いため、排水に含まれる汚物やペーパーなどの固形物、または人毛は、スムーズに流れる。なお紐３１は大きくたるんでいる。
【００１６】
図１に戻り、逆止弁部２０を通過した排水は、圧送管１６を重力に逆らって流れ、マス１に放流され、図示しない下水管へと流下する。タンク１１内の水位が低下し、水位スイッチ１９が切れると、圧送ポンプ部１３が停止する。同時に圧送管１６内の排水が重力によってタンク１１側に逆流しようとするが、この逆流しようとする排水の流れによって、図２（ｂ）の実線で示すように弁体２８は、弁座２６に当接し、連通口２５を閉塞し、圧送管１６内の排水の逆流を防止する。紐３１はややたるむ程度である。
図１に戻り、この結果、圧送管１６内には、マス１に開口した高さまで排水が残留する。
【００１７】
さて、逆止弁部２０が無い場合を仮定すると、圧送ポンプ部１３が停止すると、圧送管１６内に残留した排水がタンク１１側に逆流し、タンク１１内の排水が増加し、再び水位スイッチ１９が入り、圧送ポンプ部１３が稼動する。圧送された排水が圧送管１６を通り、マス１に到達すると同時に再度圧送ポンプ部１３が停止し、この圧送管１６内の排水がタンク１１に逆流する。このように圧送ポンプ部１３の稼動と停止を繰返してしまう。よって、本圧送排水装置１０には、逆止弁部２０が必要であり、圧送管１６には排水が残留することとなる。
【００１８】
一方、圧送ポンプ部１３のメンテナンスや交換、または圧送排水装置１０の撤去の際には、まず、圧送ポンプ部１３が稼動できる状態であれば、大便器４から清水を数回流し、タンク１１の内部や圧送管１６内をできるだけ清水に置換する。次に、圧送ポンプ部１３の電源を抜き、圧送管１６内に残留した排水をタンク１１側に逆流させる。最後に、逆止弁部２０と圧送ポンプ部１３を切り離し、大便器４と流入口１２を切り離し、タンク１１を独立さる。これにより、タンク１１の内蔵物である圧送ポンプ部１３のメンテナンスや交換、圧送排水装置１０の撤去などが可能となる。
【００１９】
以下に圧送管１６内の排水をタンク１１側に逆流させる方法を示す。図２の回転操作部３４を回転させ、ボビン３２に紐３１を巻き付けていく。これにより、紐３１の先端に接続された弁体２８は、圧送管１６に残留した排水の圧力に逆らって、周動部２７を軸に弁座２６から離れ、連通口２５を開放状態にさせる。これにより、圧送管１６に残留した排水は、弁体２８と連通口２５の隙間を通って、タンク側に逆流し、圧送管１６内に残留した排水を抜くことができる。
【００２０】
上記説明からわかるように、本実施例に係る圧送排水装置１０においては、圧送管１６内に残留した排水が、圧送排水装置１０の流路を通過して、タンク１１に戻されるため、外部へ飛び散ることは無く衛生的である。また、その際に回転操作部３４を操作するだけで良いため簡単である。また、回転操作部３４を逆回転させて紐３１を初期の長さに戻せば、再び逆止弁部２０として使用できるため、施工面やコスト面で有利である。さらに、逆止弁部２０において、圧送された排水の流路を狭めたり、排水流路中に障害物や突起が無いため、排水中に含まれる人毛や、汚物中に含まれる繊維質やトイレットペーパーが引っかかることはなく、逆止弁部２０での詰まりが防げ、信頼性が高い。
【００２１】
以上、本発明の一実施例を説明したが、本発明は上記実施例に限定されない。以下に別の形態の圧送排水装置の逆流防止弁の構造と、通常使用時の動作、およびメンテナンスなどで圧送管内の排水を逆流させる動作を示す。なお、同じ構成部品には、同一符号を付して、その説明を省略する。
【００２２】
図３（ａ）およびその断面図（ｂ）に示すように、本発明の圧送排水装置の逆止弁部４０は、圧送ポンプ部１３を接続できる上流接続部４１と、圧送管を接続できる下流接続部４２と、下流接続部４２の先端に備えられたスイング式の弁体４３と、上流接続部４１と下流接続部４２の間にひだ部４４を備えた弾性体の連結管４５と、ひだ部４４を内径側に締めつけるリング４６とからなる。なお、口径調整手段とは、ひだ部４４を備えた連結管４５とリング４５をさす。
通常使用時において、圧送ポンプ部１３が停止している場合は、リング４６に締めつけられたひだ部４４が連通口と弁座の役割を果たし、弁体４３は、圧送管１６に残流した排水の圧力によって、ひだ部４４と当接して、圧送管１６内の排水の逆流を防いでいる。圧送ポンプ部１３が稼動すると、図３（ｂ）の破線で示すように、弁体４３は圧送された排水に押し上げられて開放方向に移動する。この時逆止弁部４０の排水流路は十分確保されている。
メンテナンスなどで圧送管１６内に残留した排水を抜く場合は、リング４６をはずし、図中の一点破線で示すようにひだ部４４を外側へ膨らませる。弁体４３は圧送管１６内に残留した排水の圧力で図中の一点破線で示すように上流側に移動し、圧送管１６内に残留した排水は弁体４３と連結管４５にできた隙間を通って、図示しないタンク側に逆流する。
【００２３】
または、図４（ａ）およびその断面図（ｂ）に示すように、本発明の圧送排水装置の逆止弁部５０は、圧送ポンプ部１３を接続する上流接続部５２と、圧送管１６を接続する下流接続部５３と、圧送ポンプ部１３と圧送管１６を連通する連通路５４と、連通路５４の圧送管１６側の連通口５５周囲に設けた弁座５６と、先端に膨張部５９が付いた案内棒５８を有し、弁座５６と当接するリフト式の弁体５７と、を備えている。さらに、逆止弁部５０は、連通口５５より下流が９０度曲がったエルボ型であり、曲り部には、案内棒５８を上下方向に移動させ、中間に伸縮性の蛇腹部６１を有し、蛇腹部６１の直上に膨張部５９を引っかけるストッパ６２を有したガイド部６０が備えられている。
通常使用時において、圧送ポンプ部１３が停止している時は、弁体５７が弁座５６に当接しており、圧送管１６内の排水が逆流するのを防止している。圧送ポンプ部１３が稼動時すると、圧送された排水によって、弁体５７は、案内棒５８をガイド部６０に滑らせながら、図４（ｂ）の破線で示す位置まで移動し、排水流路を十分確保する。
圧送管１６内に残留した排水を抜く場合は、図３（ｂ）の蛇腹部６１が伸び切る程度までガイド部を上方に引っ張り上げる。その際に、ストッパ６２が膨張部５９を引っかけ、弁体５７を弁座５６から離し、連通口５５を開放させることができ、圧送管１６内の排水はタンク側へ逆流する。
【００２４】
または、図５に示すように、本発明の圧送排水装置の逆止弁部７０は、圧送ポンプ部１３を接続できる上流接続部７２と、圧送管１６を接続できる下流接続部７３と、圧送ポンプ部１３と圧送管１６とを連通する連通路７４と、連通路７４の圧送管１６側の連通口７５周囲に設けた弁座７６と、弁体固定部７９に嵌合した周動部７７を備えたスイング式の弁体７８と、弁体７８に内蔵され、下流側をＳ極、上流側をＮ極とした円盤状の永久磁石６５と、連通路７４に内蔵され、上流側から見て時計周りに巻かれたコイル６６から成る。コイル６６の両先端６７ａ、６７ｂは逆止弁部７０の外部に取り出されている。
通常使用時において、弁体７８は、図中破線で示すように、圧送された排水で開放方向に移動し、圧送ポンプ部１３の停止時には、弁体７８が弁座７６と当接し圧送管１６内の排水の逆流を防ぐ。
圧送管１６内に残留した排水を抜く場合は、コイル６６の先端６７ａがプラス、先端６７ｂがマイナスとなるように電圧をかけ、コイル６６の下流方向がＮ極となる電磁石を作り出す。この電磁石となったコイル６６と、永久磁石６５が反発することで、永久磁石６５を内蔵した弁体７８が弁座７６から離れ、圧送管１６内に残留した排水は、タンク側に逆流する。
【００２５】
または、図６に示すように、本発明の圧送排水装置の逆止弁部８０は、圧送ポンプ部１３を接続できる上流接続部８２と、圧送管１６を接続できる下流接続部８３と、圧送ポンプ部１３と圧送管１６とを連通する連通路８４と、連通路８４の圧送管１６側の連通口８５周囲に設けた弁座８６と、弁体固定部８９に嵌合した周動部８７を備えたスイング式の弁体８８と、逆止弁部８０の上流側で周動部８７の反対側に備えられ、図７に示すクランク型のシャフト９０を挿入できる挿入口９１と、逆止弁部８０の内壁で挿入口９１とは対抗した面に設けたシャフト９０の軸を受ける軸受け穴９２と、挿入口９１を塞ぐキャップ９３と、から成る。
通常使用時においては、挿入口９１はキャップ９３で塞がれており、弁体８８は、圧送された排水で開放方向に移動し、圧送ポンプ部１３の停止時には、弁体８８が弁座８６と当接し、圧送管１６内の排水が逆流するのを防ぐ。
圧送管１６内に残留した排水を抜く場合は、まずキャップ９３を挿入口９１からはずす。この時、弁体８８の上流側には正圧の排水が無いため、キャップ９３を開けても排水が外部に漏れることはない。次に図７のシャフト９０を、図８のように挿入口９１から挿入し、シャフト９０の軸を軸受け穴９２に入れる。次にシャフト９０と挿入口９１の隙間を塞ぐゴム状の栓９４をはめ込み、挿入口から排水が逆流しないようにする。最後にシャフト９０を図８の破線で示すように回転させ、弁体８８にシャフト９０の先端を押し当て、弁体８８を開放方向に移動させ、圧送管１６内に残留した排水をタンク側に逆流させる。
【００２６】
または、図９に示すように、本発明の圧送排水装置の逆止弁部１００は、圧送ポンプ部１３を接続できる上流接続部１０２と、圧送管１６を接続できる下流接続部１０３と、圧送ポンプ部１３と圧送管１６とを連通する連通路１０４と、連通路１０４の圧送管１６側の連通口１０５周囲に設けた弁座１０６と、弁体固定部１０９に嵌合する周動部１０７を備えたスイング式の弁体１０８と、弁体１０８の下流側の逆止弁部１００の圧送流路に貫通した取出し口１１０と、一端を取出し口１１０に接続し、他端を図１のタンク１１に接続したバイパス管１１１と、バイパス管１１１を開閉できる開閉クリップ１１２と、から成る。
通常使用時においては、弁体１０８は、圧送された排水で開放方向に移動し、圧送ポンプ部停止時には、弁体１０８が弁座１０６と当接し圧送管１６内の排水の逆流を防ぐ。なお、バイパス管１１１は開閉クリップ１１２によって、閉塞されており、排水が流れることは無い。
圧送管１６内に残留した排水を抜く場合は、開閉クリップ１１２をバイパス管１１１から外し、取出し口１１０と図示しないタンクを連通させる。これにより、圧送管１６内に残留した排水は、バイパス管１１１を通過してタンク内に流れる事ができる。
【００２７】
上記実施例において、排水器具が大便器の場合の圧送排水装置を説明したが、本発明はこれに限らず、排水器具は、小便器、浴槽、洗面器、台所流し、洗濯機パンなどとしても良い。小便器、浴槽、洗面器、洗濯機パン、またはストレーナを具備した台所流しなどのあまり固形物が混入しない排水器具の場合は、図１のカッター１７やスクリーン１８を取り除いても良い。
【図面の簡単な説明】
【図１】本発明の圧送排水装置全体を示す概略図である。
【図２】本発明の逆止弁部を示した図である。
【図３】本発明の逆止弁部を示した図である。
【図４】本発明の逆止弁部を示した図である。
【図５】本発明の逆止弁部を示した図である。
【図６】本発明の逆止弁部を示した図である。
【図７】本発明の逆止弁部の弁体を開放するシャフトを示した正面図である。
【図８】本発明の逆止弁部にシャフトを挿入した断面図である。
【図９】本発明の逆止弁部を示した図である。
【図１０】従来の技術であるＳＦＡ社製の逆止弁部を示した断面図である。
【図１１】従来の技術であるＳＦＡ社製の逆止弁部の使用状況を示した概略図でる。
【符号の説明】
１０…圧送排水装置
１１…タンク
１３…圧送ポンプ部
１６…圧送管
２０，４０，５０，７０，８０，１００…逆止弁部
２８，４３，５７，７８，８８，１０８…弁体
【図１】
0003775320.tif 000002
【図２】
0003775320.tif 000003
【図３】
0003775320.tif 000004
【図４】
0003775320.tif 000005
【図５】
0003775320.tif 000006
【図６】
0003775320.tif 000007
【図７】
0003775320.tif 000008
【図８】
0003775320.tif 000009
【図９】
0003775320.tif 000010
【図１０】
0003775320.tif 000011
【図１１】
0003775320.tif 000012